(57)【要約】【課題】尿の吸収効率を向上できる袋状の吸収性物品を提供する。【解決手段】採尿袋１ａは、平面状の吸収パッドを折り曲げて形成される。この吸収パッドは、内部相当側から、透液性の表面シート４と、尿を吸収する吸収体３と、撥水性の背面シート５とを層状に備えている。そして、吸収体３は、表面シート４に固定される一方で、背面シート５とは非接着とされる。また、表面シート４は、吸収体３が存在しない領域で背面シート５と接着される。このため、採尿袋１ａの内部において吸収体３と背面シート５との間に第２空間Ｒ２を形成できる。採尿袋１ａでは、この第２空間Ｒ２にも尿を蓄積させることができるため、尿の吸収効率を向上できることになる。また、背面シート５を伸ばすことができるため、尿を蓄積させるために比較的広いスペースを確保できる。【選択図】図７
2008228980.tif 000002
【特許請求の範囲】
【請求項１】
平面状の略長方形の吸収パッドを短手方向に沿った折曲線で折り曲げ、対向する側縁部同士を接着して袋状に形成された吸収性物品であって、
前記吸収パッドは、
尿を吸収する吸収体と、
前記吸収体が固定される固定シートと、
前記袋状の前記吸収性物品において、前記固定シート及び前記吸収体の外側に配置される背面シートと、
を備え、
前記吸収体は、前記背面シートと非接着とされ、
前記固定シートは、前記吸収体が固定されていない領域で前記背面シートと接着されることを特徴とする吸収性物品。
【請求項２】
請求項１に記載の吸収性物品において、
前記背面シートは、所定方向に沿った線で折り畳まれ、一または複数の襞を有することを特徴とする吸収性物品。
【請求項３】
請求項２に記載の吸収性物品において、
前記複数の襞は、前記所定方向の両端部で熱融着により固定されることを特徴とする吸収性物品。
【請求項４】
請求項２または３に記載の吸収性物品において、
前記所定方向は、前記吸収パッドの長手方向であることを特徴とする吸収性物品。
【請求項５】
請求項４に記載の吸収性物品において、
前記袋状の前記吸収性物品において、前記固定シートと前記背面シートとは、前記吸収パッドの長手方向の両端部に相当する位置のみにおいて接着されることを特徴とする吸収性物品。
【請求項６】
請求項１ないし５のいずれかに記載の吸収性物品において、
前記背面シートは、
撥水性の第１シートと、
前記袋状の前記吸収性物品において、前記第１シートの内側に配置される透液性の第２シートと、
前記第１シートと前記第２シートとの間に分散配置される多数の粒状の高分子吸水体と、
を備えることを特徴とする吸収性物品。
【請求項７】
請求項１ないし６のいずれかに記載の吸収性物品において、
前記吸収体は、互いに離間して配置される複数のサブ吸収体、
で構成されることを特徴とする吸収性物品。
【請求項８】
請求項７に記載の吸収性物品において、
前記複数のサブ吸収体同士の一の境界領域は、前記吸収パッドの短手方向の中央の線に沿っていることを特徴とする吸収性物品。
【請求項９】
請求項７または８に記載の吸収性物品において、
前記複数のサブ吸収体同士の一の境界領域は、前記折曲線に沿っていることを特徴とする吸収性物品。
【請求項１０】
請求項９に記載の吸収性物品において、
前記固定シートには、前記折曲線に沿って透孔が形成されることを特徴とする吸収性物品。
【請求項１１】
請求項１ないし１０のいずれかに記載の吸収性物品において、
前記吸収パッドの長手方向において、
前記折曲線から前記吸収体の一方の端部までの長さと、
前記折曲線から前記吸収体の他方の端部までの長さとは異なることを特徴とする吸収性物品。
【請求項１２】
請求項１ないし１１のいずれかに記載の吸収性物品において、
前記袋状の前記吸収性物品の開口部の一部が接着され、前記開口部の開口幅が狭くされることを特徴とする吸収性物品。
【請求項１３】
請求項１ないし１２のいずれかに記載の吸収性物品において、
前記袋状の前記吸収性物品の開口部の近傍に、一端が固定され、他端が前記背面シートに着脱可能な止着部材、
を備えることを特徴とする吸収性物品。
【請求項１４】
請求項１ないし１１のいずれかに記載の吸収性物品において、
前記袋状の前記吸収性物品の開口部の近傍に、前記吸収パッドの短手方向に相当する方向に沿って収縮する弾性部材、
を備えることを特徴とする吸収性物品。
【発明の詳細な説明】
【技術分野】
【０００１】
本発明は、平面状の吸収パッドを折り曲げて袋状に形成された吸収性物品に関する。
【背景技術】
【０００２】
従来より、使い捨てパンツなどのアウターの内側に配置して使用される平面状の吸収パッドが知られている。このような吸収パッドは、吸収体を有しており、使用者の尿の吸収を主目的としている。吸収パッドを使用した場合には、使用者が排尿したときに、アウター全体を取り替えずに吸収パッドのみを取り替えるだけでよいため、経済的である。
【０００３】
また、近年では、平面状の吸収パッドを折り曲げて袋状に形成された採尿袋と呼ばれる男性用の吸収性物品も提案されている。この採尿袋は、その内部空間に使用者の男性器を収容して使用する。このため、使用者の尿は、全て採尿袋の内部空間に入り込むため、効率よく尿を吸収できる（例えば、特許文献１参照。）。
【０００４】
【特許文献１】特開２００２−３３６２８５号公報
【発明の開示】
【発明が解決しようとする課題】
【０００５】
ところで、採尿袋の内部空間に進入した尿は、採尿袋が有する吸収体に吸収されるが、この吸収体に吸収されるまでには、採尿袋の内部空間に蓄積される。
【０００６】
しかしながら、採尿袋の内部空間は限定された空間であることから、蓄積された尿が吸収体に吸収される前に、採尿袋の外部へ漏れ出すことがある。このため、このような外部への尿の漏れ出しを防止するために、採尿袋において尿の吸収効率を向上できる技術が要望されていた。
【０００７】
本発明は、上記課題に鑑みてなされたものであり、尿の吸収効率を向上できる吸収性物品を提供することを目的とする。
【課題を解決するための手段】
【０００８】
上記課題を解決するため、請求項１の発明は、平面状の略長方形の吸収パッドを短手方向に沿った折曲線で折り曲げ、対向する側縁部同士を接着して袋状に形成された吸収性物品であって、前記吸収パッドは、尿を吸収する吸収体と、前記吸収体が固定される固定シートと、前記袋状の前記吸収性物品において、前記固定シート及び前記吸収体の外側に配置される背面シートと、を備え、前記吸収体は、前記背面シートと非接着とされ、前記固定シートは、前記吸収体が固定されていない領域で前記背面シートと接着される。
【０００９】
また、請求項２の発明は、請求項１に記載の吸収性物品において、前記背面シートは、所定方向に沿った線で折り畳まれ、一または複数の襞を有する。
【００１０】
また、請求項３の発明は、請求項２に記載の吸収性物品において、前記複数の襞は、前記所定方向の両端部で熱融着により固定される。
【００１１】
また、請求項４の発明は、請求項２または３に記載の吸収性物品において、前記所定方向は、前記吸収パッドの長手方向である。
【００１２】
また、請求項５の発明は、請求項４に記載の吸収性物品において、前記袋状の前記吸収性物品において、前記固定シートと前記背面シートとは、前記吸収パッドの長手方向の両端部に相当する位置のみにおいて接着される。
【００１３】
また、請求項６の発明は、請求項１ないし５のいずれかに記載の吸収性物品において、前記背面シートは、撥水性の第１シートと、前記袋状の前記吸収性物品において、前記第１シートの内側に配置される透液性の第２シートと、前記第１シートと前記第２シートとの間に分散配置される多数の粒状の高分子吸水体と、を備えている。
【００１４】
また、請求項７の発明は、請求項１ないし６のいずれかに記載の吸収性物品において、前記吸収体は、互いに離間して配置される複数のサブ吸収体、で構成される。
【００１５】
また、請求項８の発明は、請求項７に記載の吸収性物品において、前記複数のサブ吸収体同士の一の境界領域は、前記吸収パッドの短手方向の中央の線に沿っている。
【００１６】
また、請求項９の発明は、請求項７または８に記載の吸収性物品において、前記複数のサブ吸収体同士の一の境界領域は、前記折曲線に沿っている。
【００１７】
また、請求項１０の発明は、請求項９に記載の吸収性物品において、前記固定シートには、前記折曲線に沿って透孔が形成される。
【００１８】
また、請求項１１の発明は、請求項１ないし１０のいずれかに記載の吸収性物品において、前記吸収パッドの長手方向において、前記折曲線から前記吸収体の一方の端部までの長さと、前記折曲線から前記吸収体の他方の端部までの長さとは異なる。
【００１９】
また、請求項１２の発明は、請求項１ないし１１のいずれかに記載の吸収性物品において、前記袋状の前記吸収性物品の開口部の一部が接着され、前記開口部の開口幅が狭くされる。
【００２０】
また、請求項１３の発明は、請求項１ないし１２のいずれかに記載の吸収性物品において、前記袋状の前記吸収性物品の開口部の近傍に、一端が固定され、他端が前記背面シートに着脱可能な止着部材、を備えている。
【００２１】
また、請求項１４の発明は、請求項１ないし１１のいずれかに記載の吸収性物品において、前記袋状の前記吸収性物品の開口部の近傍に、前記吸収パッドの短手方向に相当する方向に沿って収縮する弾性部材、を備えている。
【発明の効果】
【００２２】
請求項１ないし１４の発明によれば、吸収体が背面シートと非接着とされ、固定シートは吸収体が固定されていない領域で背面シートと接着される。このため、吸収性物品の内部において吸収体と背面シートとの間に空間が形成され、形成された空間にも尿を蓄積させることができ、尿の吸収効率を向上できる。
【００２３】
また、特に請求項２の発明によれば、背面シートの面積を広げることができるため、吸収体と背面シートとの間の空間として比較的広いスペースを確保でき、多くの量の尿を蓄積させることができる。
【００２４】
また、特に請求項３の発明によれば、複数の襞が熱融着により固定されていることから、端部のみで複数の襞を固定したとしても比較的強く固定でき、製品における複数の襞の安定性を向上できる。
【００２５】
また、特に請求項４の発明によれば、吸収パッドの短手方向に相当する方向に背面シートが伸びるため、背面シートを伸ばしやすい。
【００２６】
また、特に請求項５の発明によれば、吸収パッドの短手方向に相当する方向に吸収性物品を引っ張ることで、背面シートを簡単に伸ばすことができる。また、尿を蓄積させる空間を広く確保することができる。
【００２７】
また、特に請求項６の発明によれば、背面シートに多数の高分子吸水体が分散配置される。このため、吸収体と背面シートとの間の空間に蓄積された尿を、背面シートでも吸収することができ、吸収性物品全体での尿の吸収効率を向上できる。
【００２８】
また、特に請求項７の発明によれば、吸収体が、互いに離間して配置される複数のサブ吸収体で構成されるため、各サブ吸収体は他のサブ吸収体の影響を受けずに尿を吸収できる。また、サブ吸収体同士の境界領域が存在するために、当該領域の吸収体が膨張によって尿の進入を阻害することを防止できる。
【００２９】
また、特に請求項８の発明によれば、吸収性物品において尿が通過する位置に、吸収体が配置されない。このため、尿が通過する位置の吸収体が膨張しすぎて、尿の移動を阻害することを有効に防止できる。
【００３０】
また、特に請求項９の発明によれば、吸収性物品において尿が溜まる底部に、吸収体が配置されない。このため、吸収性物品の底部の吸収体が膨張しすぎて、尿の進入を阻害することを有効に防止できる。
【００３１】
また、特に請求項１０の発明によれば、吸収性物品において尿が溜まる底部の位置においては、吸収体が配置されず、さらに、固定シートに透孔が形成される。このため、底部に溜まった尿を、吸収体と背面シートとの間の空間に迅速に移行させることができる。
【００３２】
また、特に請求項１１の発明によれば、吸収性物品においては、吸収体の長さが比較的長い側面と比較的短い側面とが存在することになる。吸収体の長さが比較的短い側面を肌面側とは逆側に配置して吸収性物品を使用することで、尿が直接的に接触する部分の吸収体が膨張して、尿の進入を阻害することが防止される。
【００３３】
また、特に請求項１２の発明によれば、接着により開口部の開口幅が狭くされるため、吸収性物品を安定して装着できるとともに、尿の漏洩を防止できる。
【００３４】
また、特に請求項１３の発明によれば、開口部の開口幅を調整できるため、吸収性物品を安定して装着できるとともに、尿の漏洩を防止できる。
【００３５】
また、特に請求項１４の発明によれば、開口部の開口幅を調整できるため、吸収性物品を安定して装着できるとともに、尿の漏洩を防止できる。
【発明を実施するための最良の形態】
【００３６】
以下、図面を参照しつつ、本発明の実施の形態について説明する。
【００３７】
＜１．第１の実施の形態＞
＜１−１．採尿袋の構成＞
図１は、第１の実施の形態に係る吸収性物品である採尿袋１ａを示す図である。この採尿袋１ａは、主に男性用の補助吸収具として、使い捨てパンツなど他の着用物品（アウター）の内側に配置して使用され、使用者の排泄物（主に尿）を吸収する。
【００３８】
図１に示すように、採尿袋１ａは、開口部１９を有する袋形状を有している。採尿袋１ａを使用する場合は、この開口部１９に着用者の男性器が挿入される。これにより、着用者の尿は、採尿袋１ａの内部空間に放出され、内部の吸収体に吸収されるようになっている。このような採尿袋１ａは、平面状の吸収パッドを折り曲げて袋状とすることで形成される。
【００３９】
図２は、折り曲げて袋状とする前の採尿袋１ａである吸収パッド２ａを示す図であり、採尿袋１ａの内側に相当する側からの様子を示している。また、図３は図２のIII−III位置における断面図であり、図４は図２のIV−IV位置における断面図である。なお、以下では、採尿袋１ａの内側に相当する吸収パッド２ａの側を「内部相当側」といい、採尿袋１ａの外側に相当する吸収パッド２ａの側を「外部相当側」という。
【００４０】
図に示すように、吸収パッド２ａは、全体として略長方形の形状となっている。吸収パッド２ａは、尿を吸収する吸収体３を、表面シート４と背面シート５とで挟んだ積層構造を有している（図３及び図４参照。）。これら３つの部材は、内部相当側から、表面シート４、吸収体３、背面シート５の順で配置される。すなわち、吸収体３及び表面シート４の外部相当側に背面シート５が配置される。
【００４１】
吸収体３は、略長方形の形状を有しており、その長手方向が吸収パッド２ａの長手方向に沿うように配置される。吸収体３は、例えば、粉砕したパルプ繊維やセルロース繊維等の親水性繊維集合層に粒状のポリマー（高分子吸水体）を混合した吸収コアを、ティッシュペーパー等の被覆シートで包んで構成される。
【００４２】
表面シート４は、略長方形の形状を有しており、吸収体３の内部相当側の主面全体を覆うように配置される。吸収体３は、この表面シート４に対して、内部相当側の主面全体が接着材により接着される。この表面シート４の素材としては、透液性の不織布が採用される。
【００４３】
背面シート５も、略長方形の形状を有しているが、吸収パッド２ａの長手方向に沿った線で蛇腹状に折り畳まれ、複数の襞５９を有している（図３参照。）。これにより、背面シート５は、その主面が吸収パッド２ａの短手方向に縮まった状態となっている。この縮まった状態での背面シート５の主面のサイズは、表面シート４の主面のサイズと略同一となっている。
【００４４】
背面シート５は、透液性の不織布で構成される透液シート５１と、撥水性の不織布で構成される撥水シート５２との２つのシートを接着して構成される（図３及び図４参照。）。したがって、背面シート５の全体としては撥水性となる。透液シート５１は、撥水シート５２よりも内部相当側に配置される。また、透液シート５１と撥水シート５２との相互間には、多数の粒状のポリマー（高分子吸水体）５３が分散して配置されている。
【００４５】
表面シート４や透液シート５１に用いられる透液性の不織布としては、親水性繊維（セルロース、レーヨン、コットン等）を用いた不織布、あるいは、疎水性繊維（ポリプロピレン，ポリエチレン，ポリエステル，ポリアミド、ナイロン等）の表面を界面活性剤により処理して透液性とした不織布が挙げられる。
【００４６】
一方、撥水シート５２に用いられる撥水性の不織布としては、疎水性繊維（ポリプロピレン、ポリエチレン、ポリエステル、ポリアミド、ナイロン等）を用いた不織布が挙げられる。なお、撥水性の不織布に代えて、プラスチックフィルムや、不織布とプラスチックフィルムとの複合材料等が利用されてもよい。
【００４７】
表面シート４と、背面シート５とは、吸収パッド２ａの長手方向の両端部の接着部２１において熱融着により接着されている。また、背面シート５の複数の襞５９も、この接着部２１において熱融着により固定される。このように複数の襞５９が熱融着により固定されることから、接着剤などを利用して固定するよりも強く固定できる。このため、複数の襞５９をその端部のみで固定しても、その折り畳み状態を安定させることができる。
【００４８】
上述のように、吸収体３は表面シート４に対して固定される一方で、背面シート５に対しては非接着とされる。また、表面シート４は、吸収体３が固定されていない端部の領域で、背面シート５と接着される。したがって、吸収体３と背面シート５との間には空間が形成される。吸収パッド２ａにおいて吸収体３は、表面シート４によりその位置が固定されることから、表面シート４は吸収体３が固定される固定シートであると表現できる。
【００４９】
採尿袋１ａは、以上のように構成される吸収パッド２ａを折り曲げて袋状とすることで形成される。すなわち、内部相当側を内側にして、吸収パッド２ａが、短手方向に沿った折曲線Ｌで折り曲げられる。折曲線Ｌは、吸収パッド２ａの長手方向の略中央の線である。そして、図１に示すように、折り曲げによって対向した側縁部（吸収パッド２ａの短手方向の両端部）２９同士が、接着部１１において熱融着により接着される。この接着部１１の位置には、吸収体３は存在していない。これにより、開口部１９を有する略長方形の袋状の採尿袋１ａが形成される。
【００５０】
吸収パッド２ａの長手方向の両端部に相当する位置が、採尿袋１ａの開口部１９となる。また、採尿袋１ａにおいて、背面シート５は最外側（表面シート４及び吸収体３の外側）に配置される。このため、背面シート５の襞５９は、採尿袋１ａの外側に露出する。なお、吸収パッド２ａの長手方向は採尿袋１ａの長手方向に対応し、吸収パッド２ａの短手方向は採尿袋１ａの短手方向に対応する。したがって、背面シート５の襞５９は、採尿袋１ａの長手方向に沿って配置される。
【００５１】
図５は、図１のV−V位置における、採尿袋１ａの短手方向に沿った断面図である。採尿袋１ａの短手方向の両端部にある接着部１１においては、折り曲げによって対向した側縁部２９（表面シート４と背面シート５とで構成される層）同士が接着されている。すなわち、表面シート４と背面シート５とは、接着部１１において接着される。
【００５２】
また、採尿袋１ａの内部には、対向する表面シート４同士の間の第１空間Ｒ１と、吸収体３と背面シート５との間の第２空間Ｒ２とが存在している。第１空間Ｒ１は、開口部１９を介して直接的に外部に繋がる。
【００５３】
採尿袋１ａにおいては、第２空間Ｒ２の存在により、背面シート５の襞５９を伸ばすことが可能である。採尿袋１ａは、製品としては襞５９を伸ばしていない状態（図１の状態）で出荷され、実際に使用する際に襞５９が伸ばされるようになっている。
【００５４】
＜１−２．採尿袋の使用＞
次に、採尿袋１ａの使用の態様について説明する。図６は、採尿袋１ａにおいて、背面シート５の襞５９を伸ばした様子を示す図である。また、図７は図６のVII−VII位置における断面図であり、図８は図６のVIII−VIII位置における断面図である。
【００５５】
これらの図に示すように、採尿袋１ａは襞５９を伸ばすことで、背面シート５の面積を短手方向に広げることができる。その結果、採尿袋１ａの内部において、吸収体３と背面シート５との間の第２空間Ｒ２を拡大できる。
【００５６】
採尿袋１ａを使用する際は、まず、このように背面シート５の襞５９を伸ばした後、使用者の男性器を開口部１９から挿入し、採尿袋１ａの内部の第１空間Ｒ１に収容する。そして、図９に示すように、使い捨てパンツ（パンツ型のおむつ）や一般的な下着などのアウター９を使用者に着用させ、採尿袋１ａをアウター９の内側に配置する。
【００５７】
図９は、採尿袋１ａとアウター９との配置関係を、使用者の左側に相当する方向からみた図である。図９において、図中左側が、使用者の前側に相当する。また、採尿袋１ａの図中右側が使用者が存在する肌面側となり、その逆の採尿袋１ａの図中左側がアウター９が存在するアウター側となる。
【００５８】
このような使用状態で、使用者が排尿した場合を想定する。男性器が採尿袋１ａの第１空間Ｒ１に収容されているため、使用者の尿はまず、採尿袋１ａの第１空間Ｒ１に全て放出される。
【００５９】
第１空間Ｒ１に放出された尿は、第１空間Ｒ１の底部に向けて進入するとともに、透液性の表面シート４を透過する。そして、表面シート４を透過した尿の一部は、吸収体３にそのまま吸収される。その一方で、表面シート４を透過した尿の他の一部は、吸収体３と背面シート５との間の第２空間Ｒ２に進入し、この第２空間Ｒ２に蓄積される。
【００６０】
これにより、吸収体３には、第１空間Ｒ１と第２空間Ｒ２との双方から尿が進入することになる。つまり、吸収体３の尿との接触面積を増やすことができるため、尿は吸収体３に効率よく吸収され、尿の吸収効率を向上できる。また、第２空間Ｒ２は開口部１９と繋がっていないことから、第２空間Ｒ２に進入した尿は外部に漏れ出しにくくなる。これらの結果、採尿袋１ａにおける外部への尿の漏れ出しを有効に防止できる。
【００６１】
また、採尿袋１ａでは、背面シート５の複数の襞５９を伸ばすことで、第２空間Ｒ２として比較的広いスペースを確保することができる。このため、多くの量の尿を第２空間Ｒ２に蓄積させることができる。その結果、尿の吸収効率をさらに向上できるとともに、外部への尿の漏れ出しをさらに有効に防止できる。
【００６２】
また、背面シート５は、内側の透液シート５１と外側の撥水シート５２との間に多数の粒状のポリマー５３を備えている。このため、第２空間Ｒ２に蓄積された尿は、背面シート５の透液シート５１を通過して、ポリマー５３にも吸収される。すなわち、吸収体３のみならず、背面シート５においても、第２空間Ｒ２に蓄積された尿を吸収できる。したがって、採尿袋１ａの全体としての尿の吸収効率を大きく向上できる。
【００６３】
以上のように、本実施の形態の採尿袋１ａは、平面状の吸収パッド２ａを折り曲げて形成される。この吸収パッド２ａは、内部相当側から、透液性の表面シート４と、尿を吸収する吸収体３と、撥水性の背面シート５とを層状に備えている。そして、吸収体３は、表面シート４に固定される一方で、背面シート５とは非接着とされる。また、表面シート４は、吸収体３が存在しない領域で背面シート５と接着される。このため、採尿袋１ａの内部において吸収体３と背面シート５との間に第２空間Ｒ２を形成できる。そして、形成された第２空間Ｒ２にも尿を蓄積させることができるため、尿の吸収効率を向上できることになる。また、背面シート５の複数の襞５９を伸ばすことができるため、尿を蓄積させるために比較的広いスペースを確保することができる。
【００６４】
＜２．第２の実施の形態＞
次に、第２の実施の形態について説明する。本実施の形態の採尿袋も、平面状の吸収パッドを折り曲げて袋状とすることで形成される。ただし、吸収パッドの構造が、第１の実施の形態と異なっている。
【００６５】
図１０は、第２の実施の形態の採尿袋を形成するための吸収パッド２ｂの内部相当側からの様子を示している。また、図１１は図１０のXI−XI位置における断面図であり、図１２は図１０のXII−XII位置における断面図である。
【００６６】
本実施の形態においても、吸収パッド２ｂは、吸収体３と、表面シート４と、背面シート５とを備えて構成される。これらの部材の素材は、第１の実施の形態と同様である。また、第１の実施の形態と同様に、背面シート５は複数の襞５９を有している。
【００６７】
ただし、吸収体３は、その全体が表面シート４によって包まれた状態となっている。そして、この表面シート４は、吸収体３を包んだ状態で、吸収パッド２ｂの長手方向の両端部の接着部２１において、熱融着により背面シート５に固定される。この接着部２１の位置には、吸収体３は存在していない。
【００６８】
したがって、本実施の形態の吸収パッド２ｂにおいても、吸収体３は、表面シート４に固定され、背面シート５とは非接着とされる。これとともに、表面シート４は、吸収体３が固定されていない端部の領域で、背面シート５と接着される。これにより、吸収体３と背面シート５との間には空間（第２空間Ｒ２）が形成される。本実施の形態の吸収パッド２ｂにおいても、表面シート４は、吸収体３が固定される固定シートであると表現できる。
【００６９】
また、吸収パッド２ｂの短手方向に関して、吸収体３を包んだ状態の表面シート４の長さは、折り畳んだ状態の背面シート５よりも短くなっている。このため、側縁部２９には、表面シート４は存在しておらず、背面シート５のみが存在している状態となっている。
【００７０】
第２の実施の形態の採尿袋１ｂは、以上のように構成される吸収パッド２ｂを折り曲げて袋状とすることで形成される。このようにして形成される採尿袋１ｂの外観は、図１に示すものと同様となる。本実施の形態においても、内部相当側を内側にして吸収パッド２ｂが折曲線Ｌで折り曲げられ、対向する側縁部２９同士が、接着部１１において熱融着により接着される。
【００７１】
図１３は、図１のV−V位置に相当する位置における、本実施の形態の採尿袋１ｂの短手方向に沿った断面図である。採尿袋１ｂの短手方向の両端部の接着部１１においては、折り曲げによって対向した側縁部２９同士が接着されている。すなわち、背面シート５同士が接着部１１において接着される。
【００７２】
したがって、本実施の形態の採尿袋１ｂの短手方向の両端部においては、背面シート５と表面シート４とは接着されていない。すなわち、採尿袋１ｂにおいては、表面シート４は、吸収パッド２ｂの長手方向の両端部に相当する開口部１９の近傍位置のみにおいて、背面シート５と接着されることになる。
【００７３】
このように本実施の形態の採尿袋１ｂでは、短手方向の両端部において背面シート５と表面シート４とが接着されない。このため、採尿袋１ｂの内部においては、対向する表面シート４同士（すなわち、それに包まれた吸収体３同士）の間の第１空間Ｒ１と、吸収体３と背面シート５との間の第２空間Ｒ２とは繋がった状態となる。これとともに、採尿袋１ｂは、背面シート５の襞５９を簡単に伸ばすことができるようになっている。
【００７４】
図１４は、本実施の形態の採尿袋１ｂにおいて、背面シート５の襞５９を伸ばした様子を示す図である。また、図１５は、図１４のXV−XV位置における断面図である。本実施の形態の採尿袋１ｂでは、その短手方向の両端部において背面シート５と表面シート４とが接着されていないため、採尿袋１ｂの短手方向に沿って、表面シート４に影響されずに背面シート５を引き伸ばすことができる。
【００７５】
上述した第１の実施の形態の採尿袋１ａでは、図５ないし図７を参照して分るように、短手方向の両端部において背面シート５と表面シート４とが接着されている。このため、第１の実施の形態の採尿袋１ａにおいて、その短手方向に沿って背面シート５の両端部を引っ張っても、表面シート４の長さ以上に背面シート５を引き伸ばすことはできない。これに対して、図１３ないし図１５に示す第２の実施の形態の採尿袋１ｂでは、その短手方向に沿って、表面シート４に影響されずに背面シート５を引き伸ばすことができる。このため、採尿袋１ｂの短手方向に沿って背面シート５の両端部を引っ張るだけで、背面シート５の襞５９を簡単に伸ばすことができる。
【００７６】
この採尿袋１ｂも、第１の実施の形態と同様に使用できる。本実施の形態の採尿袋１ｂの内部においては、第１空間Ｒ１と第２空間Ｒ２とが繋がっているため、第１空間Ｒ１に進入した尿を、第２空間Ｒ２に迅速に移行させて蓄積させることが可能である。
【００７７】
なお、上記形態では、吸収パッド２ｂにおいて表面シート４は吸収体３を包んでいると説明した。これに対して、図１６に示す吸収パッド２ｃのように、吸収パッド２ｃの短手方向に関して、折り畳んだ状態の背面シート５よりも長さの短い表面シート４を設け、この表面シート４に対して吸収体３を接着してもよい。この場合も、側縁部２９には、背面シート５のみが存在している状態となる。したがって、この吸収パッド２ｃを折り曲げて採尿袋を形成した場合においても、その短手方向の両端部において背面シート５と表面シート４とが接着されない状態とすることができる。
【００７８】
また、上記形態では、吸収パッド２ｂの長手方向の両端部において、表面シート４と背面シート５とが直接的に接着されていた。これに対して、図１７及び図１８に示す吸収パッド２ｄのように、表面シート４の長手方向の両端部にエンドシート４１を接着し、このエンドシート４１と背面シート５とを接着してもよい。なお、図１８は、図１７のXVIII-XVIII位置における断面図である。
【００７９】
このようなエンドシート４１としては、撥水性の不織布が採用できる。このように、表面シート４の長手方向の両端部にエンドシート４１を配置することで、表面シート４を確実に固定できるとともに、表面シート４の長手方向の両端部から尿が外部にしみ出すことが防止される。この場合は、吸収体３は、表面シート４とエンドシート４１との双方によりその位置が固定されることから、表面シート４とエンドシート４１とを組み合わせた構造が、吸収体３が固定される固定シートであると表現できる。
【００８０】
＜３．第３の実施の形態＞
次に、第３の実施の形態について説明する。本実施の形態の採尿袋は、第１の実施の形態とほぼ同様であるが、吸収体３が複数のサブ吸収体で構成されている点で相違している。
【００８１】
図１９は、第３の実施の形態の採尿袋を形成するための吸収パッド２ｅの内部相当側からの様子を示している。図に示すように、本実施の形態においては、吸収体３は、２つのサブ吸収体３１で構成されている。これらの２つのサブ吸収体３１は、互いに離間して、折曲線Ｌに関して線対称となるように配置される。すなわち、２つのサブ吸収体３１同士の境界領域３２は、折曲線Ｌに沿っている。換言すれば、吸収体３が、折曲線Ｌに沿って二つに分割されているとも表現できる。
【００８２】
これらの２つのサブ吸収体３１はそれぞれ、第１の実施の形態と同様に、表面シート４に対して接着される。サブ吸収体３１の素材自体は、第１の実施の形態の吸収体３の素材と同一のものを採用できる。
【００８３】
また、２つのサブ吸収体３１同士の境界領域３２に対応する表面シート４の部分には、吸収体３と背面シート５との間の空間（第２空間Ｒ２）と外部とを貫通する複数（図中では３つ）の透孔４２が形成されている。換言すれば、表面シート４に、複数の透孔４２が折曲線Ｌに沿って形成されているとも表現できる。
【００８４】
図２０は、図１９に示す吸収パッド２ｅを折り曲げて形成した本実施の形態の採尿袋１ｅの長手方向に沿った断面図である。この採尿袋１ｅでは、複数のサブ吸収体３１が互いに離間して配置されることから、各サブ吸収体３１は他のサブ吸収体３１の影響を受けずに尿を効率よく吸収できる。
【００８５】
また、サブ吸収体３１同士の境界領域３２は折曲線Ｌに沿っているため、採尿袋１ｅの底部には吸収体が配置されない。この採尿袋１ｅの底部には尿が溜まりやすいため、底部に吸収体の一部が存在すると、その底部に対応する吸収体の部分は他の部分と比較して大きく膨張する。その結果、その膨張した吸収体の部分が、尿の第２空間Ｒ２への進入を阻害する可能性がある。これに対して、本実施の形態のように採尿袋１ｅの底部に吸収体が存在しないようにすることで、膨張した吸収体が尿の進入を阻害することが防止され、尿をスムーズに第２空間Ｒ２へ移行させることができる。
【００８６】
また、このサブ吸収体３１同士の境界領域３２に対応する表面シート４の部分に複数の透孔４２が形成されるため、採尿袋１ｅにおいては底部に透孔４２が配置される。そしてこの透孔４２により、採尿袋１ｅの内部の第１空間Ｒ１と第２空間Ｒ２とが貫通して繋げられる。したがって、採尿袋１ｅの底部に蓄積される尿を、さらにスムーズに第２空間Ｒ２へ移行させることができる。
【００８７】
＜４．第４の実施の形態＞
次に、第４の実施の形態について説明する。第３の実施の形態では、吸収体３が折曲線Ｌに沿って二つに分割されていたが、第４の実施の形態では、吸収体３が吸収パッドの短手方向の中央の線に沿って二つに分割されている。
【００８８】
図２１は、第４の実施の形態の採尿袋を形成するための吸収パッド２ｆの内部相当側からの様子を示している。図に示すように、本実施の形態においても、吸収体３は、２つのサブ吸収体３１で構成されている。そして、これらの２つのサブ吸収体３１は、互いに離間して、吸収パッド２ｆの短手方向の中央の線Ｌｃに関して線対称となるように配置される。すなわち、２つのサブ吸収体３１同士の境界領域３２は、吸収パッド２ｆの短手方向の中央の線Ｌｃに沿っている。
【００８９】
この吸収パッド２ｆを折り曲げて形成した採尿袋では、その短手方向の中央部に吸収体が配置されない。通常、採尿袋の短手方向の中央部は、男性器から放出された尿の主な進入経路となる。
【００９０】
したがって、この中央部に吸収体の一部が存在すると、その中央部に対応する吸収体の部分は他の部分と比較して大きく膨張し、尿の内部への進入を阻害する可能性がある。これに対して、本実施の形態のように採尿袋の短手方向の中央部分に吸収体が存在しないようにすることで、膨張した吸収体が尿の進入を阻害することが防止され、尿をスムーズに進入させることができる。
【００９１】
＜５．第５の実施の形態＞
次に、第５の実施の形態について説明する。本実施の形態の採尿袋は、第１の実施の形態とほぼ同様であるが、吸収パッドにおいてその長手方向の一方側に吸収体３が偏って配置されている点で相違している。
【００９２】
図２２は、第５の実施の形態の採尿袋を形成するための吸収パッド２ｇの内部相当側からの様子を示している。図に示すように、本実施の形態においては、吸収パッド２ｇの長手方向の一方側（図中では下側）に吸収体３が偏って配置されている。これにより、吸収パッド２ｇの長手方向において、折曲線Ｌから吸収体３の一方の端部までの長さと、折曲線Ｌから吸収体の他方の端部までの長さとが異なっている。
【００９３】
図２３は、図２２に示す吸収パッド２ｇを折り曲げて形成した本実施の形態の採尿袋１ｇの長手方向に沿った断面図である。採尿袋１ｇでは、吸収体３の長さが比較的長い側面１２と、比較的短い側面１３とが対向して存在することになる。この採尿袋１ｇは、吸収体３の長さが比較的長い側面１２を肌面側に、吸収体３の長さが比較的短い側面１３をアウター側にそれぞれ配置して使用することが望ましい。
【００９４】
通常、採尿袋の内部では、図中矢印Ａ１に示すように、男性器から放出された尿は、まず、アウター側に配置された側面に接触する。したがって、この尿が直接的に接触する位置に吸収体の一部が存在すると、当該位置に対応する吸収体の部分は他の部分と比較して大きく膨張し、尿の内部への進入を阻害する可能性がある。これに対して、本実施の形態のように、吸収体３の長さが比較的短い側面１３をアウター側に配置して使用することで、膨張した吸収体が尿の進入を阻害することが防止され、尿をスムーズに進入させることができる。
【００９５】
＜６．第６の実施の形態＞
次に、第６の実施の形態について説明する。本実施の形態の採尿袋は、第１の実施の形態とほぼ同様であるが、開口部１９の一部が接着され、開口部１９の開口幅が狭くされている点で相違している。
【００９６】
図２４は、第６実施の形態の採尿袋１ｈの様子を示す図である。図に示すように、本実施の形態においては、採尿袋１ｈの短手方向の一端で開口部１９の近傍の接着部１４において、採尿袋１ｈの内部の対向側面が接着剤により接着されている。この接着部１４は、採尿袋１ｈの短手方向（すなわち、開口部１９の開口方向）に沿っていることから、開口部１９の開口幅Ｈが狭くされる。
【００９７】
このように本実施の形態の採尿袋１ｈでは、接着により開口部１９の開口幅Ｈを狭くされているため、この開口部１９に男性器を挿入することで、採尿袋１ｈを安定して装着することができる。これとともに、開口部１９の開口幅Ｈが狭いため、採尿袋１ｈの内部に蓄積された尿の漏洩を有効に防止できる。なお、図２４に示す形態では、開口部１９の一端のみを接着しているが、開口部１９の両端を接着して開口幅Ｈを狭くしてもよい。
【００９８】
＜７．第７の実施の形態＞
次に、第７の実施の形態について説明する。本実施の形態の採尿袋は、第１の実施の形態とほぼ同様であるが、止着部材によって開口部１９の開口幅を調整できる点で相違している。
【００９９】
図２５は、第７の実施の形態の採尿袋１ｉの様子を示す図である。図に示すように、本実施の形態の採尿袋１ｉでは、その短手方向の一方側において、側縁部２９の開口部１９近傍部分が接着されておらず、開口部１９と繋がる切れ目１５が形成される。そして、この切れ目１５を結合するための止着部材６が設けられている。
【０１００】
切れ目１５の位置では２つの側面が対向しているが、このうち一方の側面の外側面に止着部材６の一端６１が固定され、他方の側面の外側面に止着部材６の他端６２が着脱可能とされる。この止着部材６の他端６２には、結合部材となる面ファスナ（正確には、面ファスナの雄型係合部材）が設けられ、この面ファスナにより止着部材６の他端６２は、採尿袋１ｉの側面の外側面（すなわち、背面シート５）に着脱可能とされる。
【０１０１】
この採尿袋１ｉを使用する際には、まず、使用者の男性器を開口部１９から挿入し、切れ目１５の近傍の側面を男性器に巻き付け、その巻き付けた部分を止着部材６で固定する。これにより、採尿袋１ｉを安定して装着することができる。また、このように採尿袋１ｉを装着することで実質的に開口部１９の開口幅が狭くなるため、採尿袋１ｉの内部に蓄積された尿の漏洩を有効に防止できる。
【０１０２】
＜８．第８の実施の形態＞
次に、第８の実施の形態について説明する。本実施の形態の採尿袋は、第１の実施の形態とほぼ同様であるが、開口部１９の近傍に弾性部材を備えている点で相違している。
【０１０３】
図２６は、第８の実施の形態の採尿袋１ｊの様子を示す図である。図に示すように、本実施の形態においては、開口部１９の近傍に、採尿袋１ｊの短手方向（すなわち、開口部１９の開口方向）に沿って糸状の弾性部材１６が設けられている。この弾性部材１６は、吸収パッドの状態において、吸収パッドの短手方向に沿って伸張させた状態で、表面シート４と背面シート５との間に挟まれて接着される。このため、弾性部材１６は、吸収パッドの短手方向に相当する方向、すなわち、採尿袋１ｊの短手方向に沿って収縮することになる。
【０１０４】
したがって、弾性部材１６の収縮により、採尿袋１ｊの開口部１９の開口幅は狭くなる。また、弾性部材１６を伸縮させることで、採尿袋１ｊの開口部１９の開口幅を調整することも可能である。したがって、この開口部１９に男性器を挿入することで、採尿袋１ｊを安定して装着できるとともに、その内部に蓄積された尿の漏洩も有効に防止できる。
【０１０５】
＜９．他の実施の形態＞
以上、本発明の実施の形態について説明してきたが、この発明は上記実施の形態に限定されるものではなく様々な変形が可能である。以下では、このような他の実施の形態について説明する。
【０１０６】
上記実施の形態では、対向する側縁部２９同士が熱融着により接着されると説明した。これに対して、側縁部２９同士を接着剤により接着するようにしてもよい。ただし、接着剤を使用する場合は、熱融着とした場合と比較して、接着部における尿の堰止め作用が弱くなる。このため、図２７に示す吸収パッド２ｋのように、表面シート４の短手方向の両端部に撥水性の不織布で構成されるサイドシート４３を接着し、透液性の不織布である表面シート４が側縁部２９に存在しないようにすることが望ましい。これによれば、接着剤を使用しても、側縁部２９から尿が漏れ出すことが防止される。この場合は、表面シート４とサイドシート４３とを組み合わせた構造が、吸収体３が固定される固定シートであると表現できる。
【０１０７】
また、上記実施の形態では、背面シート５は、透液シート５１と撥水シート５２と多数のポリマー５３とを備えて構成されていたが、図２８に示す吸収パッド２ｍのように、一枚の撥水性の不織布５４のみで構成してもよい。
【０１０８】
また、上記実施の形態では、吸収パッドの長手方向に沿った線で蛇腹状に折り畳まれて背面シート５の襞５９が形成されていたが、吸収パッドの短手方向に沿った線で蛇腹状に折り畳まれることで背面シート５の襞が形成されてもよい。
【０１０９】
また、上記実施の形態では、背面シート５は複数の襞５９を有するものであったが、比較的大きな一つの襞を有し、この襞を伸ばすことで背面シート５の面積を広げることができるようになっていてもよい。
【０１１０】
また、以上で説明した各種形態を適宜に組み合わせてもよいことはもちろんである。例えば、第２の実施の形態の採尿袋１ｂに関して、第３又は第４の実施の形態のように、複数のサブ吸収体３１で構成される吸収体３を採用してもよい。
【０１１１】
また、第３及び第４の実施の形態を組み合わせ、吸収体３を４つのサブ吸収体３１で構成してもよい。この場合は、サブ吸収体３１同士の一境界領域が折曲線Ｌに沿い、他の一の境界領域が吸収パッドの短手方向の中央の線に沿うことになる。
【０１１２】
また、第６の実施の形態のように開口部１９の一部を接着しつつ、第７の実施の形態のように止着部材６を設けるようにしてもよい。
【図面の簡単な説明】
【０１１３】
【図１】第１の実施の形態に係る採尿袋を示す図である。
【図２】第１の実施の形態の吸収パッドを示す図である。
【図３】図２のIII−III位置における断面図である。
【図４】図２のIV−IV位置における断面図である。
【図５】第１の実施の形態の採尿袋の短手方向に沿った断面図である。
【図６】第１の実施の形態の採尿袋の背面シートを伸ばした様子を示す図である。
【図７】図６のVII−VII位置における断面図である。
【図８】図６のVIII−VIII位置における断面図である。
【図９】採尿袋とアウターとの配置関係を示す図である。
【図１０】第２の実施の形態の吸収パッドを示す図である。
【図１１】図１０のXI−XI位置における断面図である。
【図１２】図１０のXII−XII位置における断面図である。
【図１３】第２の実施の形態の採尿袋の短手方向に沿った断面図である。
【図１４】第２の実施の形態の採尿袋の背面シートを伸ばした様子を示す図である。
【図１５】図１４のXV−XV位置における断面図である。
【図１６】第２の実施の形態の吸収パッドの他の一例を示す図である。
【図１７】第２の実施の形態の吸収パッドの他の一例を示す図である。
【図１８】図１７のXVIII-XVIII位置における断面図である。
【図１９】第３の実施の形態の吸収パッドを示す図である。
【図２０】第３の実施の形態の採尿袋の長手方向に沿った断面図である。
【図２１】第４の実施の形態の吸収パッドを示す図である。
【図２２】第５の実施の形態の吸収パッドを示す図である。
【図２３】第５の実施の形態の採尿袋の長手方向に沿った断面図である。
【図２４】第６の実施の形態の採尿袋を示す図である。
【図２５】第７の実施の形態の採尿袋を示す図である。
【図２６】第８の実施の形態の採尿袋を示す図である。
【図２７】吸収パッドの他の一例を示す図である。
【図２８】吸収パッドの他の一例を示す図である。
【符号の説明】
【０１１４】
１ａ      採尿袋
２ａ      吸収パッド
３        吸収体
４        表面シート
５        背面シート
６        止着部材
１９      開口部
３１      サブ吸収体
３２      境界領域
４２      透孔
５３      ポリマー
５９      襞
Ｌ        折曲線
【図１】
2008228980.tif 000003
【図２】
2008228980.tif 000004
【図３】
2008228980.tif 000005
【図４】
2008228980.tif 000006
【図５】
2008228980.tif 000007
【図６】
2008228980.tif 000008
【図７】
2008228980.tif 000009
【図８】
2008228980.tif 000010
【図９】
2008228980.tif 000011
【図１０】
2008228980.tif 000012
【図１１】
2008228980.tif 000013
【図１２】
2008228980.tif 000014
【図１３】
2008228980.tif 000015
【図１４】
2008228980.tif 000016
【図１５】
2008228980.tif 000017
【図１６】
2008228980.tif 000018
【図１７】
2008228980.tif 000019
【図１８】
2008228980.tif 000020
【図１９】
2008228980.tif 000021
【図２０】
2008228980.tif 000022
【図２１】
2008228980.tif 000023
【図２２】
2008228980.tif 000024
【図２３】
2008228980.tif 000025
【図２４】
2008228980.tif 000026
【図２５】
2008228980.tif 000027
【図２６】
2008228980.tif 000028
【図２７】
2008228980.tif 000029
【図２８】
2008228980.tif 000030